(57)【特許請求の範囲】
【請求項１】
濾紙を一定の長さだけ搬送して検出ユニット内に導入し、この検出ユニットが、空気中の浮遊粒子状物質を前記濾紙上に捕集して測定する動作を一定周期で自動的に行う浮遊粒子状物質測定装置において、
前記濾紙の搬送方向に沿った検出ユニットの下流側に配置され、かつ、前記検出ユニットを経た濾紙上の捕集スポットを抽出液に浸して濾紙上の浮遊粒子状物質のうち特定の物質を抽出液中に溶出させて抽出するための抽出室と、この抽出室に抽出液を供給するための抽出液供給口と、を備えた抽出手段と、
この抽出手段により抽出した特定の物質を測定する測定手段と、
を備えたことを特徴とする浮遊粒子状物質測定装置。
【請求項２】
請求項１に記載した浮遊粒子状物質測定装置において、
前記検出ユニットが浮遊粒子状物質を捕集し測定している間に、前記抽出手段による抽出動作及び前記測定手段による測定動作を行うことを特徴とする浮遊粒子状物質測定装置。
【請求項３】
請求項１または２に記載した浮遊粒子状物質測定装置において、
前記検出ユニット内の前記捕集スポットが形成される位置と、前記抽出室内の前記捕集スポットが抽出液に浸される位置との間の距離が、互いに隣接する捕集スポットの相互間の長さに等しく配置され、かつ、前記検出ユニットでの測定終了後の捕集スポットを次の測定周期で前記抽出室内に移動させ、前記抽出手段による抽出動作及び前記測定手段による測定動作を行うことを特徴とする浮遊粒子状物質測定装置。
【請求項４】
請求項１，２または３に記載した浮遊粒子状物質測定装置において、
前記測定手段は、表面プラズモン共鳴現象を利用して前記特定の物質の濃度を測定することを特徴とする浮遊粒子状物質測定装置。
【請求項５】
請求項１，２，３または４に記載した浮遊粒子状物質測定装置において、
前記特定の物質が、花粉アレルゲンであることを特徴とする浮遊粒子状物質測定装置。
【請求項６】
請求項１，２または３に記載した浮遊粒子状物質測定装置において、
前記特定の物質が、試料中の陰イオン及び／または陽イオンであることを特徴とする浮遊粒子状物質測定装置。
【発明の詳細な説明】
【技術分野】
【０００１】
本発明は、例えば空気中の花粉アレルゲン等の浮遊粒子状物質の濃度を測定する測定装置に関するものである。
【背景技術】
【０００２】
いわゆる花粉症に悩む人口は増加の一途を辿っており、近年では、花粉が飛散する時期になるとその飛散量等を天候と共に予報することが通常になっている。
この種の予報に使用される花粉飛散量のデータとしては、従前からダーラム型花粉捕集器と呼ばれる落下花粉の捕集器による測定データが用いられており、このダーラム型花粉捕集器では、捕集した花粉の数を人手によって数える方法が採られていた。
しかるに、最近では、空気中に存在する花粉を自動的に計数する花粉モニタが開発されてきており、花粉の計数処理を自動化することによってかなりの省力化が図られている。
【０００３】
現在、花粉の中で最も一般的な杉花粉については、その主要アレルゲンの一つであるＣｒｙｊ１の量が、杉の木ごとに大きく異なると言われており、また、花粉モニタではほとんど測定不可能な壊れた花粉にもアレルゲンが存在する。
従って、花粉症対策に供するために有効な情報としては、空気中に存在する花粉の数量よりも、空気中の花粉アレルゲン量の方がより直接的かつ適切であると考えられる。
【０００４】
空気中の花粉アレルゲン量の測定は、サイクロンサンプラ等により捕集した花粉をＥＬＩＳＡ（Enzyme-Linked Immunosorbent Assay）法により測定する方法が一般的であるが、人手がかかったり、捕集試料から測定値を得るまでに少なくとも１０時間以上かかるといった問題があり、現時点ではこのＥＬＩＳＡ法を自動化した測定装置は実現されていない。
【０００５】
ここで、下記の非特許文献１には、サイクロンサンプラを用いて空中より捕集した試料からＣｒｙｊ１を分離抽出し、抽出液中のＣｒｙｊ１を、抽出後約４０分で定量できたことが報告されている。
また、特許文献１には、試料ガス中の浮遊粒子状物質を濾紙に捕集する捕集部に、試料ガス中の花粉濃度を検出するための花粉検出部を設け、浮遊粒子状物質濃度と花粉濃度とを同時に測定するようにした浮遊粒子状物質測定装置が記載されている。
この測定装置では、浮遊粒子状物質と花粉との捕集部を兼用し、またはそれぞれ別個に設けると共に、これらの捕集部の下流側に、蛍光強度法によって花粉濃度を検出する花粉検出器を配置したものである。
【０００６】
【非特許文献１】高橋裕一、大橋武，「表面プラズモン共鳴（ＳＰＲ）を利用した空中花粉アレルゲンのリアルタイム測定」，アレルギー，第５１巻（１）号，日本アレルギー学会，２００２年，p.２４−p.２９
【特許文献１】特開２００２−３５７５３２号公報（段落［０００６］，［００１１］〜［００１４］、図１〜図３等）
【発明の開示】
【発明が解決しようとする課題】
【０００７】
上記非特許文献１に記載された従来技術によれば、リアルタイムに近い花粉アレルゲンの測定が一応可能になっているが、当該文献のｐ．２７右欄第７行〜第３０行に記載されているように、この従来技術は、最近普及しつつあるリアルタイム花粉モニタと異なって必ずしも全自動化を志向するものではなく、測定作業のかなりの部分を依然として人手に頼っている。
【０００８】
また、上記特許文献１に記載された従来技術によれば、浮遊粒子状物質濃度及び花粉濃度を連続してリアルタイムに測定できるものの、粒径に応じた花粉の種類や濃度等を検出することや、花粉以外のアレルゲン及び大気中の浮遊粒子状物質に含まれる大気汚染物質等の定性分析や定量分析を行うことは予定していない。
すなわち、非特許文献１及び特許文献１に記載された従来技術では、空気中の花粉アレルゲンをはじめとした各種の浮遊粒子状物質を自動的かつ連続的に分析することは未だ不可能な現状であり、その実現が強く望まれていた。
【０００９】
一方、ダスト計のように、空気中に存在する所定粒径以下の浮遊粒子状物質（ＳＰＭ：Suspended Particulate Matter）を濾紙上に捕集し、β線吸収法等を用いてその質量濃度を測定する浮遊粒子状物質測定装置（ＳＰＭ測定装置）が既に知られている。
この測定装置によれば、大気汚染等の原因になる浮遊粒子状物質の捕集及び濃度の測定といった一連の測定動作を全自動化することが可能である。
【００１０】
そこで本発明者は、従来の浮遊粒子状物質測定装置が有する機能を最大限利用してその測定シーケンスに特定の物質、例えば花粉アレルゲン等の抽出、測定手段を組み込むことにより、この種の物質の濃度や種類を短時間で自動的かつ連続的に測定可能とした浮遊粒子状物質測定装置を提供しようとするものである。
【課題を解決するための手段】
【００１１】
上記課題を解決するため、本発明は、従来から存在する浮遊粒子状物質測定装置においては、濾紙上に捕集した浮遊粒子状物質がその濃度測定後も濾紙上に残存しており、例えば花粉アレルゲン等の特定の物質をその後に抽出可能であることに着目してなされたものである。
すなわち、請求項１に記載した浮遊粒子状物質測定装置は、濾紙を一定の長さだけ搬送して検出ユニット内に導入し、この検出ユニットが、空気中の浮遊粒子状物質を前記濾紙上に捕集して測定する動作を一定周期で自動的に行う浮遊粒子状物質測定装置において、
前記濾紙の搬送方向に沿った検出ユニットの下流側に配置され、かつ、前記検出ユニットを経た濾紙上の捕集スポットを抽出液に浸して濾紙上の浮遊粒子状物質のうち特定の物質を抽出液中に溶出させて抽出するための抽出室と、この抽出室に抽出液を供給するための抽出液供給口と、を備えた抽出手段と、
この抽出手段により抽出した特定の物質を測定する測定手段と、を備えたものである。
【００１２】
請求項２に記載した発明は、請求項１において、前記検出ユニットが浮遊粒子状物質を捕集し測定している間に、前記抽出手段による抽出動作及び前記測定手段による測定動作を行うものである。
【００１３】
請求項３に記載した発明は、請求項１または２において、前記検出ユニット内の前記捕集スポットが形成される位置と、前記抽出室内の前記捕集スポットが抽出液に浸される位置との間の距離が、互いに隣接する捕集スポットの相互間の長さに等しく配置され、かつ、前記検出ユニットでの測定終了後の捕集スポットを次の測定周期で前記抽出室内に移動させ、前記抽出手段による抽出動作及び前記測定手段による測定動作を行うものである。
【００１４】
請求項４に記載した発明は、請求項１，２または３において、前記測定手段は、表面プラズモン共鳴現象を利用して前記特定の物質の濃度を測定するものである。
【００１５】
請求項５に記載した発明は、請求項１，２，３または４において、前記特定の物質が、花粉アレルゲンであることを特徴とする。
請求項６に記載した発明は、請求項１，２または３において、前記特定の物質が、試料中の陰イオン及び／または陽イオンであることを特徴とする。
【発明の効果】
【００１６】
本発明においては、従来の浮遊粒子状物質測定装置の検出ユニットの下流側に抽出手段を設け、前記検出ユニットが目的とする本来の浮遊粒子状物質の濃度を測定した後の濾紙上の捕集スポットから花粉アレルゲン等の特定の物質を抽出し、その濃度や種類を、例えば表面プラズモン共鳴現象等を利用して測定する。ここで、前記測定装置は、濾紙を一定の長さだけ搬送して検出ユニット内に導入し、この検出ユニットにより、空気中の浮遊粒子状物質を濾紙上に捕集してその濃度を測定する測定動作を一定周期で自動的に行うものであるため、この測定シーケンスに同期させて、検出ユニットの下流側に一定周期で搬送されてくる濾紙の捕集スポット上の浮遊粒子状物質から花粉アレルゲン等を抽出し、その濃度等を測定する動作を行うことは容易である。
すなわち、本発明によれば、花粉アレルゲン等の特定物質を連続的に捕集し、この捕集した特定物質を抽出し、その濃度や種類を測定するという一連の動作を、従来の浮遊粒子状物質測定装置による測定動作の延長上で短時間に行うことが可能になり、これらの物質の連続自動モニタの実現に寄与することができる。
また、本発明によれば、濾紙上に捕集した浮遊粒子状物質から特定物質を抽出液で溶出することにより、特定物質の濃度や種類を測定するので、捕集した粒子の形状や大きさにかかわらず特定物質の濃度や種類を正しく測定することができる。例えば、花粉は空気中を浮遊するうちにその形状が崩れる場合もあるので、いわゆる「壊れた花粉」となって浮遊しているものも多いが、このような場合にも、実際の空気中に浮遊する花粉アレルゲンの濃度を正確にとらえることができる。
更には、試料大気を導入する際に、分粒器等を用いて粒径を選別し濾紙上に捕集することにより、粒径に応じた成分の測定を行うことができ、アレルギー患者等に対してきめ細かな情報提供が可能となる。
すなわち、一般的に、粒径が約１０［μｍ］未満の粒子は、呼吸によって鼻や口を通過して、気管支や肺にまで到達するが、粒径が約１０［μｍ］以上の粒子の場合は、鼻や喉の粘膜に付着して気管支や肺にまで到達しないと考えられている。従って、分粒器及びポンプ等を用いて、例えば、粒径１０［μｍ］未満のものと粒径１０［μｍ］以上のものとに分けて捕集し、それぞれの捕集スポットから抽出した成分を測定することにより、喘息などの呼吸器の疾患と目や鼻の粘膜などの身体表面部の疾患の原因物質とを別々に測定することができるため、各種のアレルギー患者へのきめ細かな情報提供が可能となり、投薬の参考情報等に利用されることが期待される。
【発明を実施するための最良の形態】
【００１７】
以下、図に沿って本発明の実施形態を説明する。
図１は、この実施形態に係る浮遊粒子状物質測定装置の概略的な全体構成図である。なお、この実施形態は、大気汚染物質等を測定する従来の浮遊粒子状物質測定装置をベースとして、空気中の花粉アレルゲンの濃度を測定する手段を付加した例である。
【００１８】
図１において、１１は装置全体の動作を制御し、また、空気中のＳＰＭ濃度を測定するためのＣＰＵが実装されたＣＰＵボード、１２は操作パネル、１３は記録計、１４はＩ／Ｏ（入出力）ボード、１５はモータ駆動用のパワーＩ／Ｏボード、Ｍ１は検出ユニット２０内に搬送された浮遊粒子状物質捕集用の濾紙６０を上下から挟み込むための開閉動作用モータ、Ｍ２は濾紙６０の送り用モータである。
【００１９】
また、検出ユニット２０は、周知のように、分粒器２６により例えば粒径１０［μｍ］以上の粒子がカットされた試料大気をポンプ２７の動作により配管２９から導入し、濾紙６０の表面に捕集された粒子にベータ線源２１によりβ線を照射して、その吸光度からＳＰＭ濃度を半導体検出器２２により検出するように構成されている。また、半導体検出器２２の出力信号はアンプボード１６内のアンプにより増幅され、Ｉ／Ｏボード１４を介してＣＰＵボード１１に入力されている。
なお、前記濾紙６０は、モータＭ２により巻取リール２５及びキャプスタン２４を回転駆動することにより、送りリール２３から巻取リール２５側へ一定周期（例えば１時間おき）で一定の長さだけ搬送されるものである。
【００２０】
また、ポンプ２７の下流側には、質量流量計の検出器であるＭＦＣ（Mass Flow Calculator(またはController)）検出器２８が配置され、その出力信号はＩ／Ｏボード１４を介してＣＰＵボード１１に入力されている。
更に、ポンプ２７をバイパスする流路にはバルブが設けられており、このバルブは流量安定用のモータＭ３により開閉制御される。
【００２１】
さて、検出ユニット２０と巻取リール２５との間には、検出ユニット２０における濃度測定が終了した濾紙６０表面のＳＰＭから花粉アレルゲンを抽出するための抽出器３０が配置されている。なお、図２は検出ユニット２０によって表面にＳＰＭが捕集された状態の濾紙６０を図示したものであり、ＳＰＭが捕集されている円形部分がすなわち補集スポット６１である。
【００２２】
また、上記抽出器３０にはＳＰＲ（Surface Plasmon Resonance：表面プラズモン共鳴）装置５０が接続されており、抽出器３０において花粉アレルゲンを溶出させた抽出液がこのＳＰＲ装置５０に導入されている。
なお、上記構成において、抽出器３０及びＳＰＲ装置５０を除いた部分は、従来から公知の浮遊粒子状物質測定装置（ＳＰＭ測定装置）に相当する。
【００２３】
次に、図３は前記抽出器３０の構造を示しており、（ａ）は上面図、（ｂ）は側面図、（ｃ）は模式的な断面図である。
これらの図において、抽出器３０はその内部に搬送される濾紙６０を上下から挟み込むための上ブロック３１及び下ブロック３２を備えていると共に、上ブロック３１の内部には、濾紙６０の捕集スポット６１を抽出液に浸して花粉アレルゲンを溶出させるための抽出室３１ａが形成されている。そして、この抽出室３１ａは、上ブロック３１に形成された抽出液供給口３３及び空気出入口３４と、下ブロック３２に形成された抽出液吐出口３５とに連通している。
更に、上ブロック３１は、ネジ孔３７に螺装されるネジ（図示せず）を締め込むことにより下降し、下ブロック３２との間に濾紙６０を圧接して保持可能となっている。なお、上ブロック３１は、図１のＣＰＵボード１１によりモータ、送りネジ等を駆動することにより、移動させればよい。
【００２４】
図４は、抽出器３０の動作説明図である。（ａ）に示すように、濾紙６０を上ブロック３１及び下ブロック３２により挟み込んだ状態で、図３の抽出液供給口３３から抽出室３１ａに抽出液（炭酸水素アンモニウムを含む緩衝液等）を供給する。そして、抽出液供給口３３をふさぎ、ポンプ３６により抽出液吐出口３５及び空気出入口３４を介し抽出室３１ａの内部に空気を導入して抽出液をバブリングすることにより、補集スポット６１に捕集されたＳＰＭ内の花粉アレルゲンを抽出する。ここで、バブリングは抽出効率や抽出速度を向上させるために効果的である。
その後、（ｂ）に示す如くポンプ３６により抽出液を圧送し、この抽出液をＳＰＲ装置５０に導入する。
抽出室３１ａの内部に抽出液を供給するためのポンプは図示されていないが、ポンプ３６とは別個に設けるか、あるいはポンプ３６と兼用しても良い。
【００２５】
なお、検出ユニット２０への濾紙６０の搬送動作、濾紙６０の挟み込み動作、試料大気の供給動作、半導体検出器２２による検出動作等からなる検出ユニット２０での一連の測定動作と、抽出器３０による濾紙６０の挟み込み動作、抽出動作等は同期している。具体的には、検出ユニット２０における測定動作が終了して濾紙６０が巻取リール２５によって巻き取られる際には、抽出器３０の上ユニット３１が上方にあって濾紙６０がフリーな状態にあり、濾紙６０を支障なく搬送できることが必要である。
【００２６】
また、検出ユニット２０の中心位置（濾紙６０の表面に捕集スポット６１が形成される位置）と抽出器３０の中心位置（抽出室３１ａの中心位置）とは、検出ユニット２０での１回の測定が終了した後に濾紙６０が送られる長さ（図２に示す１測定周期に相当する捕集スポット６１相互間の長さ）の整数倍だけ離れており、抽出器３０により今回、花粉アレルゲンが抽出される捕集スポット６１は、例えば前回または前々回の測定周期で検出ユニット２０によりＳＰＭを捕集した捕集スポット６１に相当するものである。
図１の例では検出ユニット２０及び抽出器３０を別個のものとして示してあるが、両者をできるだけ近接させて１ユニット化し、前記中心位置相互間の距離を互いに隣接する捕集スポット６１相互間の長さにすることにより、検出ユニット２０での測定終了後の捕集スポット６１を次の測定周期で抽出器３０内に移動させ、花粉アレルゲンの抽出に供することができ、測定時間の短縮、装置全体の小型化、簡素化が可能になる。
【００２７】
次に、花粉アレルゲンが抽出された抽出液（以下、試料液という）が導入されるＳＰＲ装置５０について説明する。
まず、周知の表面プラズモン共鳴現象について略述する。図５に示す如く、プリズム５１の平坦面に金などの金属薄膜５２をコーティングし、この金属薄膜５２に試料液５３を接触させた状態で、プリズム５１に光を全反射角度以上で入射すると、表面波であるエバネッセント波及び表面プラズモンが発生する。エバネッセント波の波数及び表面プラズモンの波数が一致する特定の入射角θで光を入射すると、入射光のエネルギーが表面プラズモンの励起に使われるので、反射光が減少する。これを表面プラズモン共鳴現象（ＳＰＲ現象）という。このＳＰＲ現象を起こす入射角θは試料液５３の屈折率によって決まり、図５の下段に示す関係式を満たす。
【００２８】
このことから、ＳＰＲ現象を起こす入射角θを測定すれば試料液５３の屈折率を求めることができる。また、屈折率が既知の物質を含む試料液５３であれば、当該物質の濃度に応じて、反射光強度が最小となる入射角（最大共鳴角）がある相関関係を持ってシフトする。従って、当該物質の濃度と最大共鳴角との関係を予め検量線として記憶しておけば、ディテクタ５４により検出した最大共鳴角から試料液５３中の当該物質の濃度を測定することが可能になる。なお、図６は、予め記憶された花粉アレルゲン（Ｃｒｙｊ１）の濃度と最大共鳴角との関係を示す検量線である。
図１に示したＳＰＲ装置５０は、上記の原理を応用して試料液５３中の花粉アレルゲン濃度を測定するように構成されている。
【００２９】
なお、図示されていないが、ＳＰＲ装置５０により測定した花粉アレルゲン濃度は、Ｉ／Ｏボード１４を介してＣＰＵボード１１に入力し、所定の信号処理を行って記録計１３に記録しても良く、また、ディジタル表示器等を用いて表示させても良い。更に、花粉アレルゲン濃度の演算処理をＣＰＵボード１１によって行っても良い。
【００３０】
以上のように、この実施形態によれば、検出ユニット２０によりＳＰＭ濃度を測定した後の捕集スポット６１を抽出器３０内に搬送し、検出ユニット２０における新たな捕集動作中に抽出器３０側で花粉アレルゲンを抽出し、その濃度をＳＰＲ装置５０により測定することができる。
すなわち、抽出器３０による抽出動作及びＳＰＲ装置５０による測定動作を、濾紙６０の搬送動作も含めた検出ユニット２０側の測定動作と同期させることにより、花粉アレルゲン等の物質の濃度測定を浮遊粒子状物質測定装置による一連の測定動作の延長上で自動的かつ連続的に行うことができる。
【００３１】
なお、図７は上記実施形態によるＣｒｙｊ１濃度の測定結果を示す図である。各プロットは、それぞれ１時間かけてＳＰＭを捕集した６個の捕集スポット６１から抽出したＣｒｙｊ１濃度の合計値（つまり６時間のＣｒｙｊ１濃度の合計値）を示している。
この結果をＥＬＩＳＡ法による測定結果と比較した場合、ＥＬＩＳＡ法よりも短時間で同方法と同じ程度の測定結果が得られることが確認された。
【００３２】
また、上記実施形態では、空気中の花粉アレルゲンを抽出してその濃度をＳＰＲ装置５０により測定する例を説明したが、本発明は、試料中の陰イオン（塩化物、硝酸、硫酸等のイオン）や陽イオン（各種金属イオン等）を抽出してイオンクロマト等により測定する測定装置にも適用可能である。
【００３３】
なお、上記実施形態では、分粒器２６により、例えば粒径１０［μｍ］以上の粒子をカットして試料大気を導入しているが、ここで除去された粒径１０［μｍ］以上の粒子を、別途設けたポンプによって粒径１０［μｍ］未満の粒子と同様に濾紙上に捕集し、抽出器で特定物質の抽出を行い、ＳＰＲ装置５０等によって測定を行なうようにしても良い。このようにすれば、呼吸によって気管支や肺にまで到達する粒径１０［μｍ］未満の粒子に含まれる呼吸器の疾患に対する原因物質と、目や鼻の粘膜などに付着する粒径１０［μｍ］以上の粒子による身体表面部の疾患の原因物質とを別々に測定することができるため、各種のアレルギー患者へのきめ細かな情報提供が可能となり、投薬の参考情報等に利用されることが期待される。
また、採取したい花粉その他の粒子によっては、それらの粒径に応じて分粒器２６によるカットサイズを変更したり、分粒器２６を用いることなく試料大気を導入するように構成しても良い。このようにすることで、特定種類のアレルゲン濃度ばかりでなく、例えば大気中の花粉、ダニ、真菌など各種のアレルゲン濃度の検出も可能となる。もちろん、分粒器を複数設けてそれぞれ異なるカットサイズで試料大気を同時に導入しても良い。
更に、分粒器２６による粒径の選別以外に、ＳＰＲ装置５０の金属薄膜の種類を選択可能としても同様の作用効果を得ることができる。
【００３４】
総じて、本発明においては、大気中の浮遊粒子状物質に含まれる大気汚染物質や各種アレルゲンの検量線をＳＰＲ装置等の測定手段に予め記憶させておくことにより、これらの物質の定性分析、定量分析を従来の浮遊粒子状物質測定装置による測定動作の延長上で短時間に自動的、連続的に行なうことが可能である。
従って、本発明により得た分析データを用いて、特定の大気汚染物質と特定のアレルゲンとが共存することにより、アレルギー症状を増悪させる等、複合的なアレルギー発生要因の分析に利用することも期待できる。
【図面の簡単な説明】
【００３５】
【図１】本発明の実施形態を示す概略的な全体構成図である。
【図２】濾紙の捕集スポットの説明図である。
【図３】抽出器の説明図である。
【図４】抽出器の動作説明図である。
【図５】ＳＰＲの原理を説明するための図である。
【図６】ＳＰＲ現象による空中花粉アレルゲン（Ｃｒｙｊ１）濃度と最大共鳴角との関係を示す図である。
【図７】本発明の実施形態によるＣｒｙｊ１濃度の測定結果を示す図である。
【符号の説明】
【００３６】
１１：ＣＰＵボード
１２：操作パネル
１３：記録計
１４：Ｉ／Ｏボード
１５：パワーＩ／Ｏボード
１６：アンプボード
２０：検出ユニット
２１：β線源
２２：半導体検出器
２３：送りリール
２４：キャプスタン
２５：巻取リール
２６：分粒器
２７：ポンプ
２８：ＭＦＣ検出器
２９：配管
３０：抽出器
３１：上ブロック
３１ａ：抽出室
３２：下ブロック
３３：抽出液供給口
３４：空気出入口
３５：抽出液吐出口
３６：ポンプ
３７：ネジ孔
５０：ＳＰＲ装置
５１：プリズム
５２：金属薄膜
５３：試料液
５４：ディテクタ
６０：濾紙
６１：捕集スポット
Ｍ１，Ｍ２，Ｍ３：モータ
【図１】
0004617149.tif 000002
【図２】
0004617149.tif 000003
【図３】
0004617149.tif 000004
【図４】
0004617149.tif 000005
【図５】
0004617149.tif 000006
【図６】
0004617149.tif 000007
【図７】
0004617149.tif 000008